(57)【要約】【課題】最も品質のよい製品が仕上がるための製造装置の運転条件を安定して取得する上で有利な金型の管理方法を提供する。【解決手段】親金型１０Ａには、親金型１０Ａであることを示す親属性識別子Ａと、該親属性識別子Ａの後に配列され親金型１０Ａ毎に固有に設定される親金型識別子とを含む親金型固有番号を割り当てる。子金型１０Ｂには、該子金型１０Ｂに対応する親金型１０Ａの親金型固有番号と、子金型１０Ｂであることを示す子属性識別子Ｂと、子金型１０Ｂ毎に固有に設定される子金型識別子とを含む子金型固有番号を割り当てる。孫金型１０Ｃには、該孫金型１０Ｃに対応する子金型１０Ｂの子金型固有番号と、孫金型１０Ｃであることを示す孫属性識別子Ｃと、孫金型１０Ｃ毎に固有に設定される孫金型識別子とを含む孫金型固有番号を割り当てる。【選択図】図３
2008049583.tif 000002
【特許請求の範囲】
【請求項１】
レンズシートの表面に形成する微細な同心円状のパターンに対応する第１のパターンが形成された親金型と、
前記親金型を用いて製造され前記第１のパターンと反転した第２のパターンを有する子金型と、
前記子金型を用いて製造され前記第２のパターンと反転しかつ前記第１のパターンと同一の第３のパターンを有する孫金型とを管理する方法であって、
前記親金型には、親金型であることを示す親属性識別子と、該親属性識別子の後に配列され親金型毎に固有に設定される親金型識別子とを含む親金型固有番号を割り当て、
前記子金型には、該子金型に対応する親金型の前記親金型固有番号と、該親金型固有番号の後に配列され子金型であることを示す子属性識別子と、該子属性識別子の後に配列され子金型毎に固有に設定される子金型識別子とを含む子金型固有番号を割り当て、
前記孫金型には、該孫金型に対応する子金型の前記子金型固有番号と、該子金型固有番号の後に配列され孫金型であることを示す孫属性識別子と、該孫属性識別子の後に配列され孫金型毎に固有に設定される孫金型識別子とを含む孫金型固有番号を割り当て、
それら前記親識別子、前記子識別子、前記孫識別子、前記親金型識別子、前記子金型識別子、前記孫金型識別子を用いて金型を管理する、
ことを特徴とする金型管理方法。
【請求項２】
前記レンズシートは、背面投射型プロジェクションテレビ用スクリーンを構成するものである、
ことを特徴とする請求項１記載の金型管理方法。
【請求項３】
前記親識別子、前記子識別子、前記孫識別子、前記親金型識別子、前記子金型識別子、前記孫金型識別子は、それぞれ英字および数字の一方または双方を含んで構成されている、
ことを特徴とする請求項１記載の金型管理方法。
【請求項４】
前記親識別子、前記子識別子、前記孫識別子は単一の英字で構成され、前記親金型識別子、前記子金型識別子、前記孫金型識別子は複数桁の数字で構成されている、
ことを特徴とする請求項１記載の金型管理方法。
【請求項５】
前記親識別子が「Ａ」、前記子識別子が「Ｂ」、前記孫識別子が「Ｃ」である、
ことを特徴とする請求項１記載の金型管理方法。
【請求項６】
前記レンズシートは、
（ａ）微細な同心円状のパターン成形金型に放射線硬化性樹脂を塗布する塗布工程と、
（ｂ）前記塗布工程によって塗布した樹脂のパターン成形金型とは反対側の面に透光性基材を供給し、積層する供給積層工程と、
（ｃ）前記パターン成形金型と前記塗布された樹脂と前記放射線硬化性樹脂に積層された前記透光性基材とを加圧密着する密着工程と、
（ｄ）前記透光性基材に密着された前記放射線硬化性樹脂に紫外線を照射して硬化させることで前記透光性基材と前記放射線硬化性樹脂とを重合接着する樹脂硬化工程と、
（ｅ）前記重合接着された前記透光性基材と前記放射線硬化性樹脂を前記パターン成形金型から剥離する剥離工程とを含む製造方法で製造され、
前記孫金型は前記パターン成形金型として用いられるものである、
ことを特徴とする請求項１記載の金型管理方法。
【請求項７】
作業者が、前記孫金型の使用履歴を示す使用履歴情報を、該孫金型の前記孫金型固有番号とともに入力部を介してコンピュータに入力するステップと、
前記コンピュータが前記入力された前記使用履歴情報と前記孫金型固有番号とを関連付けて記憶部に記憶させるステップと、
作業者が、前記親金型固有番号、前記子金型固有番号、前記孫金型固有番号の何れかの固有番号を前記入力部を介して前記コンピュータに入力するステップと、
前記コンピュータが、前記入力された前記固有番号に基づいて前記記憶部に記憶されている前記使用履歴情報を検索して出力部から出力するステップとを含む、
ことを特徴とする請求項１記載の金型管理方法。
【請求項８】
作業者が、前記孫金型の使用履歴を示す使用履歴情報を、該孫金型の前記孫金型固有番号とともに入力部を介してコンピュータに入力するステップと、
前記コンピュータが前記入力された前記使用履歴情報と前記孫金型固有番号とを関連付けて記憶部に記憶させるステップと、
作業者が、前記使用履歴情報の少なくとも一部を前記入力部を介して前記コンピュータに入力するステップと、
前記コンピュータが、前記入力された前記使用履歴情報の少なくとも一部に基づいて、前記記憶部に記憶されている前記使用履歴情報を検索し、検索された前記使用履歴情報に関連する前記孫金型固有番号を前記記憶部から読み出して出力部から出力するステップとを含む、
ことを特徴とする請求項１記載の金型管理方法。
【請求項９】
前記使用履歴情報は、前記孫金型を用いて製造されたレンズシートの生産数、前記孫金型に対してなされた修復内容、前記孫金型を用いて製造した際に発生した不良の種類、前記孫金型を用いて製造した際に発生した不良数の少なくとも１つを示す情報を含む、
ことを特徴とする請求項８または９記載の金型管理方法。
【発明の詳細な説明】
【技術分野】
【０００１】
本発明は、レンズシートの製造に用いる金型の管理方法に関するものである。
【背景技術】
【０００２】
背面投射型プロジェクションテレビ用スクリーンなどを構成するフレネルレンズシートの製造方法として、
（ａ）微細な同心円状のパターン成形金型に電子線硬化性樹脂を塗布する塗布工程と、
（ｂ）塗布した樹脂の上側面に透光性基材を供給し、積層する供給積層工程と、
（ｃ）パターン成形型と樹脂と積層した透光性基材とを加圧密着する密着工程と、
（ｄ）塗布した樹脂を紫外線によって硬化させる樹脂硬化工程と、
（ｅ）硬化した樹脂と共に透光性基材をパターン成形型から剥離する剥離工程と、
を含むものが知られている（特許文献１参照）。
【０００３】
ここで言及されている金型とは、金型のパターンを転記した製品を生産するための各種母型のことであり、その素材は金属に限らず、樹脂等によるものも含めるものとし、便宜上、これらの母型を以下金型と称する。
【０００４】
微細な同心円状のパターンを金型に成形する製造に際しては、長い時間と多額の費用を要するため、ひとつの金型を製造したら、これを親金型とし（以下この金型をＡ版と称する）、そこからパターンを反転させた子金型を複数枚製造し（以下この金型をＢ版と称する）、さらにその子金型のパターンを反転させた孫金型、つまりＡ版と同じパターンを持つ金型を複数枚製造する（以下この金型をＣ版と称する）。
【０００５】
前記のように製造されたＣ版をレンズシート製造装置に設置し、Ｃ版を用いて製品を生産する。
【０００６】
ここで、前記のレンズシート製造装置には複数枚の金型を同時に設置することができる。
これらの金型は、レンズシート製造装置内に実装されたコンベア、あるいはリフタ等の金型自動運搬装置によって各製造工程を巡回し、これら金型を用いてフレネルレンズシートが連続生産される。
【０００７】
レンズシートの量産を始めるに際しては、作業者はまず、最も品質のよい製品が仕上がるための製造装置の運転条件を調べる。
この条件要素の中には、金型に起因するものも含まれる。
【０００８】
従って、複数枚の金型を同時に扱う上記製造装置の場合、金型の特性が似通っていることが望ましい。
ここで言及する特性とは、
（ａ）製造履歴（Ａ版、あるいはＢ版の固有番号）
（ｂ）製品生産数（耐刷数）
（ｃ）修復履歴
（ｄ）不良品生産履歴（種類、回数等）
など、金型に関する情報を全般的に示すものとする。
【特許文献１】特開２００２−２７７９６４
【発明の開示】
【発明が解決しようとする課題】
【０００９】
金型の特性は、その製造履歴や使用状況によって変化する。
ところが従来は、それらの金型情報が管理されておらず、金型選定を作業者の記憶や経験に委ねるところが大きく、安定した金型選定を行うのは難しかった。
本発明は上述の事情に鑑みてなされたものであり、その目的は、フレネルレンズシート製造装置で使用する金型に関する製造履歴、使用状況その他の情報を管理し、作業者に開示することで、性質の類似した金型を識別することができるようにし、最も品質のよい製品が仕上がるための製造装置の運転条件を、安定して取得する上で有利な金型の管理方法を提供することにある。
【課題を解決するための手段】
【００１０】
上記目的を達成するためになされた請求項１に記載の発明は、レンズシートの表面に形成する微細な同心円状のパターンに対応する第１のパターンが形成された親金型と、前記親金型を用いて製造され前記第１のパターンと反転した第２のパターンを有する子金型と、前記子金型を用いて製造され前記第２のパターンと反転しかつ前記第１のパターンと同一の第３のパターンを有する孫金型とを管理する方法であって、前記親金型には、親金型であることを示す親属性識別子と、該親属性識別子の後に配列され親金型毎に固有に設定される親金型識別子とを含む親金型固有番号を割り当て、前記子金型には、該子金型に対応する親金型の前記親金型固有番号と、該親金型固有番号の後に配列され子金型であることを示す子属性識別子と、該子属性識別子の後に配列され子金型毎に固有に設定される子金型識別子とを含む子金型固有番号を割り当て、前記孫金型には、該孫金型に対応する子金型の前記子金型固有番号と、該子金型固有番号の後に配列され孫金型であることを示す孫属性識別子と、該孫属性識別子の後に配列され孫金型毎に固有に設定される孫金型識別子とを含む孫金型固有番号を割り当て、それら前記親識別子、前記子識別子、前記孫識別子、前記親金型識別子、前記子金型識別子、前記孫金型識別子を用いて金型を管理することを特徴とする。
また請求項２に記載の発明は、前記レンズシートは、背面投射型プロジェクションテレビ用スクリーンを構成するものであることを特徴とする。
また請求項３に記載の発明は、前記親識別子、前記子識別子、前記孫識別子、前記親金型識別子、前記子金型識別子、前記孫金型識別子は、それぞれ英字および数字の一方または双方を含んで構成されていることを特徴とする。
また請求項４に記載の発明は、前記親識別子、前記子識別子、前記孫識別子は単一の英字で構成され、前記親金型識別子、前記子金型識別子、前記孫金型識別子は複数桁の数字で構成されていることを特徴とする。
また請求項５に記載の発明は、前記親識別子が「Ａ」、前記子識別子が「Ｂ」、前記孫識別子が「Ｃ」であることを特徴とする。
また請求項６に記載の発明は、前記レンズシートは、
（ａ）微細な同心円状のパターン成形金型に放射線硬化性樹脂を塗布する塗布工程と、
（ｂ）前記塗布工程によって塗布した樹脂のパターン成形金型とは反対側の面に透光性基材を供給し、積層する供給積層工程と、
（ｃ）前記パターン成形金型と前記塗布された樹脂と前記放射線硬化性樹脂に積層された前記透光性基材とを加圧密着する密着工程と、
（ｄ）前記透光性基材に密着された前記放射線硬化性樹脂に紫外線を照射して硬化させることで前記透光性基材と前記放射線硬化性樹脂とを重合接着する樹脂硬化工程と、
（ｅ）前記重合接着された前記透光性基材と前記放射線硬化性樹脂を前記パターン成形金型から剥離する剥離工程とを含む製造方法で製造され、
前記孫金型は前記パターン成形金型として用いられるものであることを特徴とする。
また請求項７に記載の発明は、作業者が、前記孫金型の使用履歴を示す使用履歴情報を、該孫金型の前記孫金型固有番号とともに入力部を介してコンピュータに入力するステップと、前記コンピュータが前記入力された前記使用履歴情報と前記孫金型固有番号とを関連付けて記憶部に記憶させるステップと、作業者が、前記親金型固有番号、前記子金型固有番号、前記孫金型固有番号の何れかの固有番号を前記入力部を介して前記コンピュータに入力するステップと、前記コンピュータが、前記入力された前記固有番号に基づいて前記記憶部に記憶されている前記使用履歴情報を検索して出力部から出力するステップとを含むことを特徴とする。
また請求項８に記載の発明は、作業者が、前記孫金型の使用履歴を示す使用履歴情報を、該孫金型の前記孫金型固有番号とともに入力部を介してコンピュータに入力するステップと、前記コンピュータが前記入力された前記使用履歴情報と前記孫金型固有番号とを関連付けて記憶部に記憶させるステップと、作業者が、前記使用履歴情報の少なくとも一部を前記入力部を介して前記コンピュータに入力するステップと、前記コンピュータが、前記入力された前記使用履歴情報の少なくとも一部に基づいて、前記記憶部に記憶されている前記使用履歴情報を検索し、検索された前記使用履歴情報に関連する前記孫金型固有番号を前記記憶部から読み出して出力部から出力するステップとを含むことを特徴とする。
また請求項９に記載の発明は、前記使用履歴情報は、前記孫金型を用いて製造されたレンズシートの生産数、前記孫金型に対してなされた修復内容、前記孫金型を用いて製造した際に発生した不良の種類、前記孫金型を用いて製造した際に発生した不良数の少なくとも１つを示す情報を含むことを特徴とする。
【発明の効果】
【００１１】
金型に固有番号を付与し、金型に関する情報を管理することで、製造装置を安定して運転することができる。
また、オペレータの能力差、あるいは勤務状態による品質差をなくすこともできる。
【発明を実施するための最良の形態】
【００１２】
以下、本発明の実施例の形態を、図面を参照しながら詳細に説明する。
図１は、本発明の金型の使用状況を示す図である。
金型（パターン成形金型）１０は、ここではフレネルレンズシート生産工程に従って、矢印方向に移動するものし、製造装置１台に付き、複数台の金型１０が設置できるものとする。
これらの金型１０は装置内を循環し、フレネルレンズシートを連続生産する。
すなわち、図１に示すように、フレネルレンズシートは次の工程によって製造される。
（ａ）微細な同心円状のパターン成形金型１０に放射線硬化性樹脂１１を塗布する塗布工程。
（ｂ）塗布工程によって塗布した放射線硬化性樹脂１１のパターン成形金型１０とは反対側の面に透光性基材１２を供給し、積層する供給積層工程。
（ｃ）パターン成形金型１０と前記塗布された放射線硬化性樹脂１１と放射線硬化性樹脂１１に積層された透光性基材１２とをローラー１３を用いて加圧密着する密着工程。
（ｄ）透光性基材１２に密着された放射線硬化性樹脂１１に樹脂硬化装置１４を用いて紫外線を照射して硬化させることで透光性基材１２と放射線硬化性樹脂１１とを重合接着する樹脂硬化工程。
（ｅ）前記重合接着された透光性基材１２と放射線硬化性樹脂１１をパターン成形金型１０から剥離することでフレネルレンズシート１５を得る剥離工程。
なお、金型１０は回転コンベアに複数載置されており、図中符号１６は金型１０を支持するリフタを示す。
【００１３】
ここで、生産を開始するに際して、作業者は生産プロセスの条件を整える作業を行う。
これを以下、条件出しと称する。
条件出しは、そのとき使用される透光性基材の特性、電子線硬化性樹脂の特性などによって細かく調整され、パターン成形を行う金型の特性も重要視される。
この条件出しを行うことによって、連続生産において安定した品質を得ることができる。
【００１４】
したがって、連続生産を行う上で、複数台設置する金型特性が類似していれば、条件出しにばらつきがなくなり、製品の品質向上につながる。
【００１５】
そこで、金型特性を決定する要因として、
（ａ）金型の製造履歴、（ｂ）製造装置における使用履歴、（ｃ）修復履歴などを挙げることができ、これらの要因を管理することが必要である。
より詳細には、金型特性を決定する要因として、金型を用いて製造されたレンズシートの生産数、金型に対してなされた修復内容、金型を用いて製造した際に発生した不良の種類、金型を用いて製造した際に発生した不良数などが挙げられる。
言い換えると、これら金型特性を決定する要因は金型の使用履歴を示すものであり、以下ではこれら要因を表す情報を使用履歴情報という。
【００１６】
金型の製造履歴について、図面を参照しながら詳細に説明する。
図２は金型の説明図である。
微細な同心円状のパターンを金型に成形する製造に際しては、長い時間と多額の費用を要するため、図２に示すように、ひとつの金型を製造したら、これをＡ版金型１０Ａとし、そこからパターンを反転させたＢ版金型１０Ｂを複数枚製造し、さらにそのＢ版金型１０Ｂのパターンを反転させた金型、つまりＡ版金型１０Ａと同じパターンを持つＣ版金型１０Ｃを複数枚製造する手法が取られている。
言い換えると、レンズシート１５の表面に形成する微細な同心円状のパターンに対応する第１のパターンが形成された親金型１０Ａと、親金型１０Ａを用いて製造され第１のパターンと反転した第２のパターンを有する子金型１０Ｂと、子金型１０Ｂを用いて製造され第２のパターンと反転しかつ第１のパターンと同一の第３のパターンを有する孫金型１０Ｃとが用いられる。
【００１７】
本実施の形態では、以下に説明するように、各金型１０Ａ、１０Ｂ、１０Ｃに固有番号を割り当てることで金型の管理を行う。
図３は金型に割り当てる固有番号の説明図である。
図３に示すように、親金型１０Ａには、親金型１０Ａであることを示す親属性識別子Ａと、該親属性識別子Ａの後に配列され親金型１０Ａ毎に固有に設定される親金型識別子０１、０２、……とを含む親金型固有番号Ａ０１、Ａ０２、……を割り当てる。
子金型１０Ｂには、該子金型１０Ｂに対応する親金型１０Ａの親金型固有番号Ａ０１、Ａ０２、……と、該親金型固有番号の後に配列され子金型１０Ｂであることを示す子属性識別子Ｂと、該子属性識別子Ｂの後に配列され子金型１０Ｂ毎に固有に設定される子金型識別子０１、０２、……とを含む子金型固有番号Ａ０１Ｂ０１、Ａ０１Ｂ０２、Ａ０１Ｂ０３、……を割り当てる。
孫金型１０Ｃには、該孫金型１０Ｃに対応する子金型１０Ｂの子金型固有番号Ａ０１Ｂ０１、Ａ０１Ｂ０２、Ａ０１Ｂ０３、……と、該子金型固有番号の後に配列され孫金型１０Ｃであることを示す孫属性識別子Ｃと、該孫属性識別子Ｃの後に配列され孫金型１０Ｃ毎に固有に設定される孫金型識別子０１、０２、０３、……とを含む孫金型固有番号Ａ０１Ｂ０１Ｃ０１、Ａ０１Ｂ０１Ｃ０２、Ａ０１Ｂ０１Ｃ０３を割り当てる。
そして、それら親識別子、子識別子、孫識別子、親金型識別子、子金型識別子、孫金型識別子を用いて金型を管理する。
したがって、孫金型固有番号には、その孫金型１０Ｃを製造するために使用された親金型１０Ａの親金型固有番号と子金型１０Ｂの子金型固有番号とが含まれている。そのため、孫金型１０Ｃ毎に、その孫金型１０Ｃの孫金型固有番号と使用履歴情報とを関連付けて管理することで、孫金型１０Ｃを使用するために用いられた親金型１０Ａおよび子金型１０Ｂをも特定することができ、金型の管理をきめ細かく行うことができ有利である。
【００１８】
次に、コンピュータを用いた金型の管理方法について説明する。
図４は金型管理を行うために用いられるコンピュータの構成図である。
本実施の形態では、その金型が製造装置で生産に使用された実績、途中で金型に対し修復を行った履歴、その金型が生産した不良品の詳細などを入力し、その情報を蓄積し、閲覧できるようにすることで、金型の管理を行う。
詳細に説明すると、図４に示すように、コンピュータは、各部の制御を行う制御部３０と、キーボード、マウスなどからなる入力部３２、ディスプレイやプリンタなどからなる出力部３４、ＲＯＭ、ＲＡＭ、ハードディスク装置などからなる記憶部３６を含んで構成され、制御部３０は記憶部３６に格納されているソフトウェアを実行することで前記制御を行うように構成されている。
そして、金型の管理方法は次のようなステップを含んでいる。
作業者が、孫金型１０Ｃの使用履歴を示す使用履歴情報を、該孫金型１０Ｃの孫金型固有番号とともに入力部３２を介してコンピュータに入力するステップ。
コンピュータが入力された使用履歴情報と孫金型固有番号とを関連付けて記憶部３６に記憶させるステップ。
作業者が、親金型固有番号、子金型固有番号、孫金型固有番号の何れかの固有番号を入力部３２を介してコンピュータに入力するステップ。
コンピュータが、入力された固有番号に基づいて記憶部３６に記憶されている使用履歴情報を検索して出力部３４から出力するステップ。
また、金型の管理方法は次のようなステップを含んでいる。
作業者が、孫金型１０Ｃの使用履歴を示す使用履歴情報を、該孫金型１０Ｃの孫金型固有番号とともに入力部３２を介してコンピュータに入力するステップ。
コンピュータが入力された使用履歴情報と孫金型固有番号とを関連付けて記憶部３６に記憶させるステップ。
作業者が、使用履歴情報の少なくとも一部を入力部３２を介してコンピュータに入力するステップ。
コンピュータが、入力された使用履歴情報の少なくとも一部に基づいて、記憶部３６に記憶されている使用履歴情報を検索し、検索された使用履歴情報に関連する孫金型固有番号を記憶部３６から読み出して出力部３４から出力するステップ。
【００１９】
以上説明したように、本実施の形態の金型管理方法によれば、孫金型１０Ｃの孫金型固有番号に含まれる親金型固有番号、子金型固有番号のそれぞれから、親金型１０Ａ、子金型１０Ｂをそれぞれ特定できるため、金型の管理を簡単かつきめ細かく行う上で有利となる。
また、親金型１０Ａ、子金型１０Ｂ、孫金型１０Ｃの固有番号の何れかをコンピュータに入力することで、その金型に関連する使用履歴情報を知ることができるため、その金型に関連する使用履歴情報を簡単かつきめ細かく管理する上でより一層有利となる。
また、孫金型１０Ｃに関連する使用履歴情報の少なくとも一部をコンピュータに入力することで、その使用履歴情報に関連する孫金型固有番号（子金型固有番号、親金型固有番号）を知ることができるため、その孫金型１０Ｃの使用履歴情報と似た使用履歴情報を有する親金型１０Ａ、子金型１０Ｂ、孫金型１０Ｃを簡単に特定することができる。
したがって、例えば、図１に示すような製造装置において複数の孫金型１０Ｃを使用している場合、修復などのために孫金型１０Ｃを取り外して代替の孫金型１０Ｃを取り付ける際、製造装置に残された他の孫金型１０Ｃの使用履歴情報と似た使用履歴情報を有する他の孫金型１０Ｃを容易に特定し、その特定した孫金型１０Ｃを前記代替の孫金型１０Ｃとして製造装置に取り付けることができる。すなわち、フレネルレンズシートの生産工程において適切な金型管理を行うことができ、安定した金型選定が行え、生産性向上および品質向上を図る上で有利となる。
【００２０】
なお、本実施の形態では、親識別子、前記子識別子、前記孫識別子、前記親金型識別子、前記子金型識別子、前記孫金型識別子は、それぞれ英字または数字で構成されている場合について説明したが、各識別子を構成する文字は任意であり、例えば、英字および数字の一方または双方を含んでいてもよいし、各識別子を構成する文字の数も任意である。
【図面の簡単な説明】
【００２１】
【図１】本発明の金型の使用状況を示す図である。
【図２】金型の説明図である。
【図３】金型に割り当てる固有番号の説明図である。
【図４】金型管理を行うために用いられるコンピュータの構成図である。
【符号の説明】
【００２２】
１０……パターン成形金型、１０Ａ……親金型、１０Ｂ……子金型、１０Ｃ……孫金型、１５……フレネルレンズシート。
【図１】
2008049583.tif 000003
【図２】
2008049583.tif 000004
【図３】
2008049583.tif 000005
【図４】
2008049583.tif 000006